(57)【要約】【課題】  光コネクタ用のアダプタに対しての挿抜を容易に行えるようにした挿抜工具を提供する。【解決手段】  挿抜工具１は、弾性変形可能な金属材料からなる一対の挟持片２を有してその一対の挟持片２の各後端２ｅ同士を連結する。一対の挟持片２の各前端２ｂにおいては、内方へ突出するカギ部４を形成する。一対の挟持片２の各中間部２ｃにはその中間部２ｃに跨って一対の挟持片２同士の開き方向の間隔を規制する間隔規制手段３を設ける。更に、一対の挟持片２の間隔規制手段３よりも後方には手で持つ部分としての操作部７を各々形成する。【選択図】    図１
2006039444.tif 000002
【特許請求の範囲】
【請求項１】
弾性変形可能な金属材料からなる一対の挟持片を有して該一対の挟持片の各後端側同士を連結し、前記一対の挟持片の各前端においては内方へ突出するカギ部を形成し、前記一対の挟持片の各中間には該各中間に跨って前記一対の挟持片同士の開き方向の間隔を規制する間隔規制手段を設け、更に、前記一対の挟持片の前記間隔規制手段よりも後方には手で持つ部分としての操作部を各々形成する
ことを特徴とする光コネクタ用アダプタに対する挿抜工具。
【請求項２】
請求項１に記載の光コネクタ用アダプタに対する挿抜工具において、
前記一対の挟持片を平行に配置する
ことを特徴とする光コネクタ用アダプタに対する挿抜工具。
【請求項３】
請求項１又は請求項２に記載の光コネクタ用アダプタに対する挿抜工具において、
前記一対の挟持片の各前端であって前記カギ部の反対側を肉厚とする
ことを特徴とする光コネクタ用アダプタに対する挿抜工具。
【請求項４】
請求項１ないし請求項３いずれか記載の光コネクタ用アダプタに対する挿抜工具において、
前記カギ部の突出方向先端に凹部を形成する
ことを特徴とする光コネクタ用アダプタに対する挿抜工具。
【発明の詳細な説明】
【技術分野】
【０００１】
本発明は、光コネクタ用のアダプタに対する挿抜工具に関し、詳しくは、アダプタダストキャップの挿抜を行えるようにし、更には光コネクタの挿抜をも行えるようにした挿抜工具に関する。
【背景技術】
【０００２】
例えば既知の光コネクタは、キャビネットに多数設けられたアダプタに差し込まれてロックされると、そのアダプタに対する取り付けが完了して、光通信を行うことが可能になる。一方、光コネクタとアダプタとのロックを解除すると、アダプタから光コネクタを引き抜くことが可能になる。尚、アダプタに光コネクタを取り付けない場合には、アダプタにアダプタダストキャップを取り付けて光学的な接続部分を保護する必要がある。光コネクタをアダプタに対して挿抜する際には、下記特許文献１に開示されたような光コネクタ挿抜工具が用いられる。
【特許文献１】実開平７−３６１０６号公報
【発明の開示】
【発明が解決しようとする課題】
【０００３】
ところで、アダプタがキャビネットにおいて多数設けられている場合には、次のような問題点を有する。すなわち、未開通線番を開通させる際に、隣り合わせの線番がインサービス（光コネクタが取り付けられた状態）になっていると、既にアダプタに取り付けられたアダプタダストキャップを手で引き抜いて取り外すことは非常に困難になるという問題点を有する。これは、光コネクタを高密度実装する場合において特に問題となる。尚、頻度としては少ないが、回線変更等によりアダプタダストキャップをアダプタに差し込む場合もあり、隣り合わせの線番がインサービスになっていると、手による差し込みが困難になるという問題点も有する。
【０００４】
上記特許文献１に開示されたような光コネクタ挿抜工具を用いてアダプタダストキャップを挿抜することを対策案として考えてみたが、上記光コネクタ挿抜工具の一対の挟持片は、その後端から前端にかけて次第に間隔が広がるような形態に構成されていることから、例えばアダプタダストキャップを一対の挟持片の前端で挟み込もうとしても、一対の挟持片の前端がアダプタダストキャップに対して線接触するだけで、その結果、大きな把持力を加えない限り挿抜の安定性を確保することができないという問題点を有する。
【０００５】
また、上記光コネクタ挿抜工具の一対の挟持片は、その前端が広がることから、狭いところへの差し込みに対して向いてないという問題点を有する。すなわち、一対の挟持片の前端が広がっていると、光コネクタを高密度実装した状態の中からアダプタダストキャップを挿抜することは困難であるという問題点を有する。
【０００６】
さらに、上記光コネクタ挿抜工具は、一対の挟持片を操作する操作レバーを有することから、光コネクタを高密度実装した状態において多数の光ファイバの存在により、操作レバーの操作が非常にし難いという問題点を有する。
【０００７】
上記光コネクタ挿抜工具は、当然のことながら光コネクタの挿抜を目的としている。そのため、一対の挟持片の前端における間隔は、光コネクタのロック解除を行えるようにする必要性から、ロック構造の高さも含めて広く設定されている。一方、アダプタダストキャップは、ロック構造を持たないものであることから、一対の挟持片の前端における間隔は、さほど広くなくてもよい。このことから上記光コネクタ挿抜工具は、アダプタダストキャップを挿抜の対象にしていないことが分かる。つまり、上記光コネクタ挿抜工具は、光コネクタの挿抜とアダプタダストキャップの挿抜の両方に用いることを想定しているものではない。従って、対策案にならないことが分かる。
【０００８】
本発明は、上述した事情に鑑みてなされたもので、光コネクタ用のアダプタに対しての挿抜を容易に行えるようにした挿抜工具を提供することを課題とする。
【課題を解決するための手段】
【０００９】
上記課題を解決するためになされた請求項１記載の本発明の光コネクタ用アダプタに対する挿抜工具は、弾性変形可能な金属材料からなる一対の挟持片を有して該一対の挟持片の各後端側同士を連結し、前記一対の挟持片の各前端においては内方へ突出するカギ部を形成し、前記一対の挟持片の各中間には該各中間に跨って前記一対の挟持片同士の開き方向の間隔を規制する間隔規制手段を設け、更に、前記一対の挟持片の前記間隔規制手段よりも後方には手で持つ部分としての操作部を各々形成することを特徴としている。
【００１０】
このような特徴を有する本発明によれば、カギ部を有することから、そのカギ部によって挟む、引っ掛ける、押し込むの三つの機能を兼ね備える。また、間隔規制手段を有することから、その間隔規制手段によって挟持片同士の間隔を保ち、狭いところへの差し込みも難なく行える。間隔規制手段は、挟持片同士の間隔を広がらないようにする機能の他に、挟持片同士の間に光ファイバを入り込ませないようにするための機能も有する。
【００１１】
本発明によれば、一対の挟持片が弾性変形可能であり、そして、カギ部や間隔規制手段を有することから、アダプタダストキャップの挿抜を行うことができるのは勿論のこと、光コネクタの挿抜をも行えるようにすることが可能な構造になる。尚、以上の点に関しては、本明細書における「発明を実施するための最良の形態」の欄において詳細に説明する。
【００１２】
請求項２記載の本発明の光コネクタ用アダプタに対する挿抜工具は、請求項１に記載の光コネクタ用アダプタに対する挿抜工具において、前記一対の挟持片を平行に配置することを特徴としている。このような特徴を有する本発明によれば、狭いところへの差し込みがより一層難なく行えるようになる。本発明のように一対の挟持片を平行に配置することにより、直方体構造を持つアダプタダストキャップ（例えば図３参照）との嵌合性を向上させることが可能になる。そして、狭いスペースでの作業性を更に向上させることが可能になる。
【００１３】
請求項３記載の本発明の光コネクタ用アダプタに対する挿抜工具は、請求項１又は請求項２に記載の光コネクタ用アダプタに対する挿抜工具において、前記一対の挟持片の各前端であって前記カギ部の反対側を肉厚とすることを特徴としている。このような特徴を有する本発明によれば、必要十分な剛性が確保される。
【００１４】
請求項４記載の本発明の光コネクタ用アダプタに対する挿抜工具は、請求項１ないし請求項３いずれか記載の光コネクタ用アダプタに対する挿抜工具において、前記カギ部の突出方向先端に凹部を形成することを特徴としている。このような特徴を有する本発明によれば、光コネクタの挿抜に用いる際に、光コネクタのブーツを案内して挿抜工具の位置ズレを補正することが可能になる。凹部を有することにより、光コネクタの挿抜がし易くなる。本発明のように凹部を有することにより、例えばアダプタダストキャップの形状が円柱状の構造を持つ場合において、挿抜工具とアダプタダストキャップの嵌合性を向上させることが可能になる。
【発明の効果】
【００１５】
請求項１に記載された本発明によれば、光コネクタ用のアダプタに対しての挿抜を容易に行うことができるという効果を奏する。
【００１６】
請求項２に記載された本発明によれば、狭いところへの差し込みをより一層難なく行えるようにすることができるという効果を奏する。また、請求項２に記載された本発明によれば、一対の挟持片を平行に配置することにより、直方体構造を持つアダプタダストキャップとの嵌合性を向上させることができるという効果を奏する。そして、狭いスペースでの作業性を更に向上させることができるという効果を奏する。
【００１７】
請求項３に記載された本発明によれば、必要十分な剛性を確保することができるという効果を奏する。
【００１８】
請求項４に記載された本発明によれば、アダプタダストキャップの挿抜のみならず、光コネクタの挿抜をもし易くすることができるという効果を奏する。また、請求項４に記載された本発明によれば、凹部を有することにより、例えばアダプタダストキャップの形状が円柱状の構造を持つ場合において、挿抜工具とアダプタダストキャップの嵌合性を向上させることができるという効果を奏する。
【発明を実施するための最良の形態】
【００１９】
以下、図面を参照しながら説明する。
図１は本発明の挿抜工具の一実施の形態を示す図であり、（ａ）は平面図、（ｂ）は側面図、（ｃ）は前端側面を拡大した図、（ｄ）は前端正面を拡大した図である。また、図２はアダプタに光コネクタやアダプタダストキャップを取り付けた状態を示すキャビネットの斜視図、図３はアダプタ及びアダプタダストキャップの概略側面図である。
【００２０】
図１において、引用符号１は本発明の挿抜工具を示している。その本発明の挿抜工具１は、一対の挟持片２と、間隔規制手段３とを備えて構成されている。一対の挟持片２は、弾性変形可能な金属材料からなるものであって、板片状で且つ細長く形成されている。また、一対の挟持片２は、対称な形状となるように形成されている。一対の挟持片２において、引用符号２ａは前部、２ｂは前端、２ｃは中間部、２ｄは後部、２ｅは後端をそれぞれ示している。
【００２１】
一対の挟持片２は、特に限定するものではないが、前部２ａが中間部２ｃや後部２ｄよりも細く形成されている。また、一対の挟持片２は、中間部２ｃの一部がくびれるように形成されている。一対の挟持片２の前部２ａや中間部２ｃは、少なくとも内面同士が平行となるように配置されている。言い換えれば、一対の挟持片２の前部２ａや中間部２ｃは、所定の間隔をあけて対向配置されている。これに対し、一対の挟持片２の後部２ｄは、間隔が狭まった後に各後端２ｅ同士が溶接（一例であるものとする）によって連結されている。
【００２２】
一対の挟持片２の前端２ｂにおける内面には、カギ部４が形成されている。そのカギ部４は、内方へ突出する突起であって、挟持面４ａと、押し込み面４ｂと、引っ掛け面４ｃと、摺接面４ｄとを有している。挟持面４ａは、カギ部４の突出方向先端に配置形成されている。押し込み面４ｂは、カギ部４の側面であって挟持片２の最先端に配置形成されている。引っ掛け面４ｃは、カギ部４の側面であって押し込み面４ｂの反対側に配置形成されている。摺接面４ｄは、挟持面４ａと押し込み面４ｂとの間を円弧又はテーパでつなぐように形成されている。
【００２３】
このようなカギ部４には、凹部５が形成されている。凹部５は、挟持面４ａの中央に形成されている。凹部５は、後述する光コネクタ１３のブーツ２３を案内することができるように円弧状の凹み形状に形成されている。凹部５は、後述する光コネクタ１３の挿抜を行う際に有用な部分として形成されている（尚、本発明の挿抜工具１が光コネクタ１３の挿抜を対象としない場合には、設定は任意であるものとする）。
【００２４】
対向する挟持面４ａ同士は平行であり、その間隔は、後述するアダプタダストキャップ１４の高さ寸法に合わせて設定されている。また、カギ部４の突出量は、引っ掛け面４ｃが後述するアダプタダストキャップ１４の凸部２６に引っ掛かるだけの寸法を有するように設定されている。カギ部４は、挟む、押し込む、引っ掛けるの三つの機能を兼ね備えるように形成されている。
【００２５】
尚、カギ部４の反対側は、仮想線６に示されるような肉厚（肉厚６）に形成してもよいものとする。仮想線６のような肉厚に形成することにより、前端２ｂの剛性がより一層向上する。
【００２６】
一対の挟持片２の中間部２ｃには、手で持つ部分としての操作部７が形成されている。また、一対の挟持片２の中間部２ｃには、間隔規制手段３が設けられている。操作部７は、間隔規制手段３と後部２ｄとの間に配置形成されている。また、操作部７は、本形態において、上記くびれがある部分に形成されている。操作部７は、凹凸の滑り止めのある形状に形成されている（一例であるものとする）。
【００２７】
間隔規制手段３は、一対の挟持片２の各中間部２ｃに跨って、一対の挟持片２同士の開き方向の間隔を規制するために設けられている。間隔規制手段３は、特に限定するものではないが、本形態において、一対の挟持片２の各中間部２ｃを貫通するピン部材３ａと、そのピン部材３ａの両端に設けられる押さえ部３ｂとを有して構成されている。各中間部２ｃには、特に図示しないが、ピン部材３ａを貫通させるための孔が形成されている。ピン部材３ａを貫通させるための孔の外側周縁部には、押さえ部３ｂが引っ掛かるようになっている。本形態において、間隔規制手段３は、後述する光ファイバ２２が一対の挟持片２の間に入り込まないように配慮した位置に配置されている。
【００２８】
上記構成において、本発明の挿抜工具１は、手で操作部７を持ってその操作部７を押圧することにより、一対の挟持片２を、各カギ部４の挟持面４ａ同士が近接するような方向に移動させることができる。また、操作部７の押圧を解除することにより、一対の挟持片２を、間隔規制手段３で規制されるまで、すなわち元の位置に復帰させることができる。
【００２９】
図２において、キャビネット１１には、多数のアダプタ１２が設けられている。アダプタ１２は、図示のような整列された状態に設けられている。このようなアダプタ１２には、光コネクタ１３やアダプタダストキャップ１４が取り付けられている。アダプタ１２は、箱状に形成されており、二つの接続部１５が横に並んで配置されている。図２においては、説明のために接続部１５が見える状態になっており、通常は光コネクタ１３やアダプタダストキャップ１４が取り付けられている。キャビネット１１の裏側において、アダプタ１２の後部には、光コネクタ１６（図６参照）が取り付けられており、アダプタ１２の前部に光コネクタ１３が取り付けられると、光コネクタ１６（図６参照）との間で光学的な接続が完了するようになっている。
【００３０】
光コネクタ１３（光コネクタ１６も同様）は、例えば既知のＬＣ型の光コネクタ（ＩＥＣ６１７５４−２０にて国際標準化）であって、そのハウジング１７の上面には、ロック部１８が設けられている。ロック部１８は、例えば片持ち梁状のラッチングアーム１９と、同じく片持ち梁状のトリガーガード２０とを備えて構成されており、ラッチングアーム１９の自由端となる先端の上にトリガーガード２０の先端が重なるように配置形成されている。ロック部１８は、押下されるとアダプタ１２との間のロック状態が解除されるように形成されている。ハウジング１７の後部端面、すなわちハウジング端面２１からは、既知の光ファイバ２２が引き出されている。光ファイバ２２は、ハウジング端面２１に接するように設けられる既知のブーツ２３によって、その曲げ量が規制されている。ブーツ２３と光ファイバ２２との間には、チューブ部材２４が設けられている（チューブ部材２４は無くてもよい）。
【００３１】
図２及び図３において、アダプタダストキャップ１４は、アダプタ１２の接続部１５に差し込まれることにより、光学的な接続部分を保護することができるように形成されている。アダプタダストキャップ１４は、四角柱状の差込部２５と、凸部２６とを有している。凸部２６は、差込部２５の後端側の外周面にフランジ状に形成されている。アダプタダストキャップ１４をアダプタ１２の接続部１５に差し込むと、アダプタ１２の端面と凸部２６との間には、若干のスペースＳが形成されるようになっている（本発明では、スペースＳに応じてカギ部４の寸法が設定されている）。
【００３２】
次に、上記構成に基づいて本発明の挿抜工具１の作用を説明する。
【００３３】
図４を参照しながらアダプタダストキャップ１４の抜き取り手順を説明する。図４はアダプタダストキャップ１４の抜き取り手順の説明図であり、（ａ）はアダプタダストキャップ１４を挟んだ状態の側面図、（ｂ）はアダプタダストキャップ１４を抜き取った状態の側面図、（ｃ）はアダプタダストキャップ１４を抜き取った状態の平面図である。尚、説明に関係しない部分の図示は省略してあるものとする（以下同様）。
【００３４】
図４（ａ）において、係止部２７を介してキャビネット１１（図２参照）に固定されたアダプタ１２の接続部１５には、アダプタダストキャップ１４が差し込みにより取り付けられている。先ず、このように取り付けたアダプタダストキャップ１４を挿抜工具１によって挟み込む作業を行う。具体的には、光ファイバ２２（図２参照）を多数引き出した部分の中から対象となるアダプタダストキャップ１４を見つけ出し、その後、光ファイバ２２によって僅かとなったスペースに挿抜工具１を差し込んで、挿抜工具１のカギ部４をアダプタ１２の端面と凸部２６（図３参照）との間のスペースＳ（図３参照）に嵌合させ、カギ部４の挟持面４ａ（図１参照）によって挟み込む作業を行う。
【００３５】
この時、挿抜工具１のカギ部４は、アダプタダストキャップ１４の凸部２６（図３参照）に引っ掛かる。操作部７（図１参照）の押圧は、僅かであってもカギ部４が凸部２６（図３参照）に引っ掛かる。また、僅かな押圧であってもカギ部４の挟持面４ａ（図１参照）で確実に挟持する。
【００３６】
図４（ｂ）及び（ｃ）において、次に、挿抜工具１を真っ直ぐ後ろに引っ張ってアダプタダストキャップ１４を抜き取る作業を行う。アダプタダストキャップ１４を挟み込んだ状態で挿抜工具１を引っ張ると、カギ部４の引っ掛け面４ｃ（図１参照）が凸部２６（図３参照）に引っ掛かる。アダプタダストキャップ１４は、挿抜工具１に挟み込まれた状態でスムーズにアダプタ１２の接続部１５から抜き取られる。
【００３７】
図５を参照しながらアダプタダストキャップ１４の挿入手順を説明する。図５は、アダプタダストキャップ１４の挿入手順の説明図であり、（ａ）はアダプタダストキャップ１４を挟んだ状態の側面図、（ｂ）はアダプタダストキャップ１４を挿入した状態の側面図、（ｃ）は挿抜工具１の前端を合わせた状態の平面図、（ｄ）はアダプタダストキャップ１４を押し込んだ状態の平面図である。
【００３８】
図５（ａ）において、先ず、アダプタダストキャップ１４を挿抜工具１によって挟み込む作業を行う。この時、カギ部４の挟持面４ａ（図１参照）でアダプタダストキャップ１４を挟持する。図５（ｂ）において、次に、挿抜工具１で挟み込んだままアダプタダストキャップ１４をアダプタ１２の接続部１５に差し込む作業を行う。この時、カギ部４の挟持面４ａ（図１参照）で挟持できる範囲でアダプタダストキャップ１４をアダプタ１２の接続部１５に差し込む。
【００３９】
図５（ｃ）において、続いて、カギ部４の挟持面４ａ（図１参照）での挟持を解除し、挿抜工具１の前端２ｂ、具体的にはカギ部４の押し込み面４ｂ（図１参照）をアダプタダストキャップ１４の後端に合わせる作業を行う。この時、カギ部４の挟持面４ａ（図１参照）同士が接触し合う位に操作部７（図１参照）を押圧する。図５（ｄ）において、最後に、挿抜工具１を押してアダプタダストキャップ１４をアダプタ１２の接続部１５に押し込む作業を行う。
【００４０】
図６を参照しながら光コネクタ１３の抜き取り手順を説明する。図６は光コネクタ１３の抜き取り手順の説明図であり、（ａ）は挿抜工具１の前端２ｂをブーツ２３に合わせた状態の側面図、（ｂ）は挿抜工具１をコネクタ端までゆっくりと挿入した状態の側面図、（ｃ）は挿抜工具１を勢いを付けて光コネクタ１３に差し込んだ状態の側面図、（ｄ）は挿抜工具１を真っ直ぐ後ろに引き抜いた状態の側面図である。
【００４１】
図６（ａ）において、先ず、挿抜工具１の前端２ｂをブーツ２３に対して位置合わせする作業を行う。この時、カギ部４の挟持面４ａ（図１参照）間にブーツ２３を差し込む。図６（ｂ）において、次に、挿抜工具１をコネクタ端までゆっくりと挿入する作業を行う。この時、カギ部４の凹部５（図１参照）がブーツ２３を案内する。
【００４２】
図６（ｃ）において、続いて、勢いを付けて挿抜工具１を光コネクタ１３に差し込む作業を行う。この時、一対の挟持片２の前部２ａが間隔規制手段３（図１参照）を支点として弾性変形する。そして、カギ部４の挟持面４ａ（図１参照）間が広がるような状態でハウジング端面２１（図２参照）とラッチングアーム１９（図２参照）とを乗り越える。ラッチングアーム１９（図２参照）は一対の挟持片２の復元力により押下され、これによってロックが解除されると、スプリングバックにより若干後方に押し出された光コネクタ１３にカギ部４が嵌合する。
【００４３】
図６（ｄ）において、最後に、挿抜工具１を真っ直ぐ後ろに引き抜く作業を行う。光コネクタ１３は、挿抜工具１に挟み込まれた状態でスムーズにアダプタ１２の接続部１５から抜き取られる。
【００４４】
図７を参照しながら光コネクタ１３の挿入手順を説明する。図７は光コネクタ１３の挿入手順の説明図であり、（ａ）は光コネクタ１３を把持した状態の側面図、（ｂ）は光コネクタ１３を真っ直ぐ押し込んだ状態の側面図、（ｃ）は挿抜工具１を真っ直ぐ後ろに引き抜いた状態の側面図である。
【００４５】
図７（ａ）において、先ず、挿抜工具１の前端２ｂをブーツ２３に合わせ、そして、挿抜工具１をコネクタ端までゆっくりと挿入して光コネクタ１３を把持する作業を行う。図７（ｂ）において、次に、光コネクタ１３を把持した状態でその光コネクタ１３をアダプタ１２の接続部１５に差し込み、そして、挿抜工具１を真っ直ぐ押し込む作業を行う。この時、光コネクタ１３とアダプタ１２とのロックが完了する。図７（ｃ）において、最後に、操作部７（図１参照）の押圧を解除しながら挿抜工具１を真っ直ぐ後ろに引き抜く作業を行う。
【００４６】
以上、図１ないし図７を参照しながら説明してきたように、本発明の挿抜工具１は、光コネクタ１３用のアダプタ１２に対しての挿抜を容易に行うことができる。また、本発明の挿抜工具１は、カギ部４を有することから、そのカギ部４によって挟む、引っ掛ける、押し込むの三つの機能を兼ね備えることができる。さらに、本発明の挿抜工具１は、間隔規制手段３を有することから、その間隔規制手段３によって一対の挟持片２同士の間隔を保ち、狭いところへの差し込みも難なく行えるようにすることができる。
【００４７】
尚、間隔規制手段３は、一対の挟持片２同士の間隔を広がらないようにする機能の他に、挟持片２同士の間に光ファイバ２２を入り込ませないようにするための機能も有する。
【００４８】
本発明の挿抜工具１によれば、一対の挟持片２が弾性変形可能であり、そして、カギ部４や間隔規制手段３を有することから、アダプタダストキャップ１４の挿抜を行うことができるのは勿論のこと、光コネクタ１３の挿抜をも行えるようにすることができる。また、本発明の挿抜工具１によれば、簡素な構造であり、兼用可能な工具であることから、コスト低減を図ることができる。
【００４９】
その他、本発明は本発明の主旨を変えない範囲で種々変更実施可能なことは勿論である。
【図面の簡単な説明】
【００５０】
【図１】本発明の挿抜工具の一実施の形態を示す図であり、（ａ）は平面図、（ｂ）は側面図、（ｃ）は前端側面を拡大した図、（ｄ）は前端正面を拡大した図である。
【図２】アダプタに光コネクタやアダプタダストキャップを取り付けた状態を示すキャビネットの斜視図である。
【図３】アダプタ及びアダプタダストキャップの概略側面図である。
【図４】アダプタダストキャップ抜き取り手順の説明図であり、（ａ）はアダプタダストキャップを挟んだ状態の側面図、（ｂ）はアダプタダストキャップを抜き取った状態の側面図、（ｃ）はアダプタダストキャップを抜き取った状態の平面図である。
【図５】アダプタダストキャップ挿入手順の説明図であり、（ａ）はアダプタダストキャップを挟んだ状態の側面図、（ｂ）はアダプタダストキャップを挿入した状態の側面図、（ｃ）は挿抜工具前端を合わせた状態の平面図、（ｄ）はアダプタダストキャップを押し込んだ状態の平面図である。
【図６】光コネクタ抜き取り手順の説明図であり、（ａ）は挿抜工具前端をブーツに合わせた状態の側面図、（ｂ）は挿抜工具をコネクタ端までゆっくりと挿入した状態の側面図、（ｃ）は挿抜工具を勢いを付けて光コネクタに差し込んだ状態の側面図、（ｄ）は挿抜工具を真っ直ぐ後ろに引き抜いた状態の側面図である。
【図７】光コネクタ挿入手順の説明図であり、（ａ）は光コネクタを把持した状態の側面図、（ｂ）は光コネクタを真っ直ぐ押し込んだ状態の側面図、（ｃ）は挿抜工具を真っ直ぐ後ろに引き抜いた状態の側面図である。
【符号の説明】
【００５１】
１  挿抜工具
２  挟持片
２ａ  前部
２ｂ  前端
２ｃ  中間部（中間）
２ｄ  後部
２ｅ  後端
３  間隔規制手段
３ａ  ピン部材
３ｂ  押さえ部
４  カギ部
４ａ  挟持面
４ｂ  押し込み面
４ｃ  引っ掛け面
４ｄ  摺接面
５  凹部
６  肉厚
７  操作部
１１  キャビネット
１２  アダプタ
１３  光コネクタ
１４  アダプタダストキャップ
１５  接続部
１６  光コネクタ
１７  ハウジング
１８  ロック部
１９  ラッチングアーム
２０  トリガーガード
２１  ハウジング端面
２２  光ファイバ
２３  ブーツ
２４  チューブ部材
２５  差込部
２６  凸部
２７  係止部
【図１】
2006039444.tif 000003
【図２】
2006039444.tif 000004
【図３】
2006039444.tif 000005
【図４】
2006039444.tif 000006
【図５】
2006039444.tif 000007
【図６】
2006039444.tif 000008
【図７】
2006039444.tif 000009